(57)【要約】【課題】  履くだけで正しい姿勢を定着させて体全体の筋肉のバランスを整えることで、歯の噛み合わせを正しくし、もって体全体の健康を促進させる履物を得る。【解決手段】  足裏に接触する台底部分１１を踵部分から親指方向斜め内方に傾斜させて形成し、上記傾斜により、その着用時において、母趾内転筋起始部付近に、体重の重心が位置するように形成することとした。【選択図】  図1
2006320626.tif 000002
【特許請求の範囲】
【請求項１】
足裏に接触する台底部分を踵部分から親指方向斜め内方に傾斜させて形成し、
上記傾斜により、その着用時において、母趾内転筋起始部付近に、体重の重心が位置するように形成されている、
ことを特徴とする履物。
【請求項２】
足裏に接触する台底部分の母趾内転筋起始部が当たる箇所に突出部を備えている、
請求項１記載の履物。
【請求項３】
上記台底部上に足を保持するために足の甲部位の少なくとも一部を覆う被覆部をさらに有し、
上記被覆部は、着用時に足の母趾内転筋起始部付近の足の甲部位に密着している、
請求項１又は２記載の履物。
【請求項４】
上記被覆部は、足の甲部位全体を被覆し、
上記足の母趾内転筋起始部よりも踵側の上記被覆部と足の甲部位との間に隙間が形成されている、
請求項３記載の履物。
【請求項５】
上記台底部は、中敷により構成されている、
請求項１から４記載の履物。
【請求項６】
踵部分から親指方向斜め内方に傾斜させて形成され、
上記傾斜により、その着用時において、母趾内転筋起始部付近に、体重の重心が位置するように形成されている、
ことを特徴とする履物用中敷。
【発明の詳細な説明】
【技術分野】
【０００１】
本発明は、歯の咬み合わせや、姿勢のズレを矯正するための履物等に関する。
【背景技術】
【０００２】
従来から姿勢矯正のために様々なサンダルや靴、又は中敷などの履物が提案されている。
この一例として、産前産後の整形外科的問題、例えば足痛、膝痛、腰痛、足のむくみなどに対して治療的及び予防的効果を得ることを目的とした履物等であって、足の骨格のアーチを整える形状を有するものが提案されている（特許文献１参照）。
また、Ｏ脚の矯正を図ることを目的とした履物であって、台部が踵から爪先方向に下向きの傾斜を有するとともに、内側へも下向きの傾斜を有するもの（特許文献２参照）が提案されている。
【０００３】
また、脚部の筋肉をトレーニングないし矯正し、併せて脚の血流の活性促進をさせる履物として、足乗せ主部の上部に、足固定部材が装着され、所定の高さを有する一対の履物であって、長手中間部から前部の、親指方向の下部に切欠斜面が形成され、使用時に、足乗せ主部の前部が前下斜すると同時に、小指側よりも親指側方向へ低く傾斜するように構成されたものが提案されている（特許文献３参照）。
【０００４】
一方で、これらの姿勢が悪くなると、体全体に悪い影響を与えることが知られている。その例としては、姿勢が悪くなると筋肉のバランスが崩れて血流が悪くなったり、また、歯のかみ合わせが悪くなり、それにより上手く食べ物を噛んだで消化の良い状態として飲み込むことができないということがあった。また、このように噛み合せが悪くなると、顔が歪んだり、また肩こりや頭痛などの様々な病気を引き起こす原因となっていた。
つまり、かみ合わせ、姿勢のバランスが悪い状態で、骨格や筋肉が重力に対して真っすぐに動こうとすると、噛む力を上下の歯牙が均等に力を分散しないで、特定の歯牙に最初にあたり、その後、下アゴをねじって全体が徐々に噛みこんでいく状態になり、噛む力を一番最初に受けるところから、むし歯や歯周病になってしまう。そして、その病変を姿勢を維持するためのストッパーと考えると、むやみに削って当たらなくすると、もっと姿勢やかみ合わせがずれて、ほかの歯牙がまた強い噛む力によって破壊され、筋肉や骨格のバランスがくずれるおそれがあるとう問題があった。
このようなことに対しては、従来は、個々に対応することが行われ、肩が凝る場合には肩を揉んだり、頭痛がする場合には鎮痛剤を飲んだり、また歯のかみ合わせが悪い場合には、虫歯などを削って、そこに詰め物や義歯をいれたり、歯石を取ったりするなど、病気をみつけ治療を行うという対症療法が主体的が行われてきた。
【０００５】
【特許文献１】特開２００４−１８１２０２号公報
【特許文献２】実登３０１８４０９号公報
【特許文献３】特開２００３−２４５１０１号公報
【発明の開示】
【発明が解決しようとする課題】
【０００６】
しかしながら、従来のような対症療法では症状を表面的あるいは一時的に解消することはできるが、症状の根本的な原因を解消しない限り、結局同じ病気を繰り返すこととなるという問題があった。即ち、病気の原因である、姿勢を矯正しないと体全体の血行が良くならず、根本的な原因が解消されないという問題があった。
【０００７】
この点、症状の根本的な原因は、体が不健康な状態にある点にある。そのため、虫歯や歯周病等の治療的又は予防的効果を得るなど、口腔内の健康の増進を図るためには、全身の血行や基礎代謝を促進することで、唾液の質や量を向上させて、体の免疫機能などの健康維持機能を促進させることが重要であり、これが症状の根本的な原因の解消につながるのである。
そして、このように体の健康維持機能を促進するには、顎関節、歯列や噛み合わせ、ひいては姿勢を正常な状態に維持することが必要である。即ち、姿勢が悪ければ筋肉にかかる負担や緊張が一部に集中するなどして凝りが生じて血行の乱れを生ずるばかりか、この筋肉の緊張やバランスが崩れることにより噛み合わせ等が悪くなり、咀嚼が上手くできず、唾液の質の悪化や量の低下が起こるという問題があった。
【０００８】
この点、特許文献１あるいは２に係る発明によれば、腰から下の骨格の矯正を行うことができ、脚部の治療的又は予防的効果を得ることができるが、口腔内において同様の治療的又は予防的効果を得ることはできないし、全身の血行の促進という効果を奏するものでもない。
【０００９】
また、特許文献３に係る発明によれば、脚部、ひいては全身の血行を活性促進させることができるが、座りながら脚部に捩り運動を加えるものであるため、その効果は姿勢に影響を与えることがなく、咬み合わせや姿勢の矯正という効果を得ることはできない。
【００１０】
本発明は、上述のような課題を解決するためになされたものであって、履くだけで正しい姿勢を定着させて体全体の筋肉のバランスを整えることで、歯の噛み合わせを正しくし、もって体全体の健康を促進させることを目的とする。
【課題を解決するための手段】
【００１１】
上記目的を達成するため、本発明の一の観点にかかる履物は、足裏に接触する台底部分を踵部分から親指方向斜め内方に傾斜させて形成し、上記傾斜により、その着用時において、母趾内転筋起始部付近に、体重の重心が位置するように形成されていることを特徴とする。
【００１２】
また、上記履物は、足裏に接触する台底部分の母趾内転筋起始部が当たる箇所に突出部を備えているようにしてもよい。
【００１３】
上記台底部上に足を保持するために足の甲部位の少なくとも一部を覆う被覆部をさらに有し、上記被覆部は、着用時に足の母趾内転筋起始部付近の足の甲部位に密着しているようにしてもよい。また、上記被覆部は、足の甲部位全体を被覆し、上記足の母趾内転筋起始部よりも踵側の上記被覆部と足の甲部位との間に隙間が形成してもよい。
これにより、履物は、着用時に、足の甲部位を被う甲被部のうち、足の母趾内転筋起始部付近の締め付けが強く、上記甲被覆部分のうち、足首付近の締め付けが弱くなる。
【００１４】
また、上記履物は、上記履物の台底部分の構成を備えている中敷として構成されるものであってもよい。
【発明の効果】
【００１５】
本発明によれば、履物の着用時において、履物の傾斜により体は前傾姿勢となり、脚部には両足が内転するように力がかかる。この結果、足の母趾内転筋起始部付近に重心が位置して体重がかかることとなる。そして、このような姿勢を維持しようとする結果、脚部の内転筋群に力が入り、これによって当該内転筋群の血行が促進され、更に全身の血行がよくなり、代謝機能も向上する。
【００１６】
また、母趾内転筋起始部付近に重心が位置すると、その部位の皮膚の感覚が脳に伝えられ、これにより三叉神経が活性化される。その結果、三叉神経支配下の顎関節や歯根膜の受容器が活性化され、咬み合わせがよくなり、さらに姿勢調節機能を向上させられる。
【発明を実施するための最良の形態】
【００１７】
以下、本発明の実施形態を図を参照して説明する。
本発明の第一の実施形態に係る履物をサンダルに適用した例を図１及び図２に示す。
図１、２に示すように、本実施形態に係る履物１は、台底部１１及び足の甲を被うベルト１２から構成される。
【００１８】
台底部１１は、足形に対応した形状に構成されている。この台底部１１は、爪先部分の厚みよりも踵部分が厚くなっていると共に、親指側より小指側が厚くなっている。これにより、台底部１１は、踵部分から親指方向に向けて斜め内方に傾斜した構造となっている。これにより、履物１を履いた時に、体重が斜め前方の母趾内転筋起始部付近に重心が位置し、そこに体重がかかるように傾斜となっている。
【００１９】
また、ベルト１２は、台底部１１の長手方向中央よりも少し前方に取り付けられている。
このベルト１２の幅は、足の指の付け根部分から母趾内転筋起始部３１をほぼ覆う幅となっている。これにより、履物１を履いた時に、足の甲全体ではなく、足の甲の前方部分のみがベルト１２により締め付けられるようになっている。
【００２０】
上述のように構成された履物１を図１のように着用すると、台底部１１が踵部分から親指方向に向けて斜め内方に傾斜しているため、体全体が前傾姿勢となり、台底部１１の内方への傾斜により脚部には両足が内転するよう力がかかる。この結果、図３に示される母趾内転筋起始部３１に重心が位置して体重がかかるようになる。これにより、前方重心となり、膝を伸びきった状態でなく起立姿勢を保とうとするため、脚部内転筋群に適度な緊張がかかり収縮するため、血行が促進され、代謝機能も向上する。つまり、外側、後方重心の場合、膝がのびきった状態で、脚部の筋肉をあまり使わずに脚部の骨を棒状にして、起立姿勢を保つため、脚部内転筋群が弛緩して血行が弱くなってしまうが、このように前方重心となり、膝を伸びきった状態でなく起立姿勢を保とうとすることにより脚部内転筋群に適度な緊張がかかり収縮するため、血行が促進されることになる。
つまり、足の筋肉の血行は、血液の循環を助けるという大きな役割があるが、重力の影響により、人体の低い位置にある足には血液がたまりやすく、しかも、毛細血管までには心臓のポンプ作用だけではうまく血液を循環できない。しかし、上述のように履物１により、足の裏にバランスよく重心がかかることにより、個々の筋肉の収縮がおこり、血管は絞られて血液を送り出し、心臓にもどすことができ、これにより血行が促進される。
【００２１】
また、履物１を履いた状態で歩こうとすると、ベルト２により母趾内転筋起始部３１を覆う部分が固定されているため、その部分に体重を掛けた状態で歩くことになる。つまり、歩く時には必ず母趾内転筋起始部３１付近に体重をかけた状態で歩くことなる。
【００２２】
また、履物１により、母趾内転筋起始部付近に重心が位置すると、その部位の皮膚の感覚が脳に伝えられ、これにより三叉神経が活性化される。
つまり、起立姿勢の調節をつかさどるのは皮膚（足の裏）・靱帯・関節・筋肉や三半規管・眼球であるが、これらが重力に対してどのような状態かを小脳で処理し、大脳皮質に伝え筋肉に命令がくだされるようになっており、特に足の裏の筋肉は数層あり、身体全体を支え、身体がバランスよく立っていられるようセンサーの働きをしている。その足の裏の母趾内転筋起始部付近に適正な力が加わることにより、重力に対してバランスよく起立姿勢を保とうとする皮膚感覚が脳に伝わり、脳から三叉神経が活性化され、この三叉神経を介して姿勢調整の受容器をもつ顎関節・歯根膜・咀嚼筋にバランスよく機能するよう命令されるようになる。その結果、三叉神経支配下の顎関節や歯根膜の受容器が活性化され、咬み合わせがよくなり、さらに姿勢調節機能を向上させられる。
また、履物１を履くことにより、重力に対してバランスよく起立姿勢を保つことができ、足、ひざ、腰、肩そして頭を水平に維持することにより、かみ合わせがをよくすることができる。
【００２３】
また、ベルト２が母趾内転筋起始部を覆う位置に設けたことで、履物１を履いて歩いている時も、踵体重となることなく、歩くことができ、上述のような効果を奏することができる。
【００２４】
なお、図１に示される本実施形態に係るサンダルは、ベルト１２として帯状の物を用いた例について説明したが、これに代えて草履のように鼻緒状であってもよい。
また、図１は本実施形態に係る履物１としてサンダルの例を示した、これに限らず革靴、スポーツシューズ、スニーカー、ブーツ等であってもよい。
【００２５】
また、本実施形態に係る履物１の台底部１１には、押圧力を加えることによって密度が大きくなる変形性素材を用いることができる。変形性素材としては、ＰＵ（ポリウレタン）、ＥＶＡ（エチレン−酢酸ビニル共重合樹脂）、ＳＢＲ、シリコンなどのエラストマーなどがある。これら変形性素材は弾性に富み、衝撃吸収性があるため、足への負担を軽減することができるし、足裏部の感触もよい。
【００２６】
また、台底部１の足裏に接触する面の土踏まずの部位（内方）に、アーチ状の膨らみを設けるなどして、足裏形状にフィットする形状としてもよい。これにより、体重が斜め前方にかかった場合でも、内方に設けられた足裏の土踏まずの部分がこのアーチ状の膨らみにより規制されることで、足が履物１からずれてしまうことを防止でき、履物と足とが一体となって安定するようになる。また、このアーチ状の膨らみにより足への衝撃を吸収し、疲労や膝痛などを防ぐことができる。
【００２７】
次に、本発明の第２の実施の形態に係る履物について説明する。本実施の形態に係る履物は、上記第１の実施の形態に係る履物の台底部分１１において、足の母趾内転筋起始部３１が当たる箇所に突出部を備えるようにしてもよい。
【００２８】
これにより、足裏の母趾内転筋起始部３１に、第１の実施形態よりも強い刺激を受えることができる。そのため、血行促進や三叉神経の活性化がより盛んになる。また、当該突出部の高さや材質を変えることによって、母趾内転筋起始部に与える刺激の強弱を調整することができる。例えば、その材料にエストラマー等の軟性素材を用いた場合には、刺激を弱くすることができ、他方、木材や金属等の硬性素材を用いた場合には、強い刺激を与えることができる。
【００２９】
次に、本発明の第３の実施の形態に係る履物を図４及び図５に示す。
本実施の形態に係る履物は、前述の第１の実施の形態に係る台底部１１の形態を台底部４０に適用した靴の例である。
【００３０】
図４及び図５に示すように、靴４は台底部４０と、台底部４０と縫い合わせられることなどにより、足の踵から甲までの全体を覆う被覆部４６から構成されている。
台底部４０は、靴底４１と中低部４５から構成されている。この中低部４５は、足形に対応した形状に構成されており、爪先部分の厚みよりも踵部分が厚くなっていると共に、親指側より小指側が厚くなっている。これにより、中底部４５は、踵部分から親指方向に向けて斜め内方に傾斜した構造となっている。これにより、靴４を履いた時に、体重が斜め前方の母趾内転筋起始部付近に重心が位置し、そこに体重がかかる傾斜となっている。
【００３１】
また、被覆部４６は、足を踵から足首及び足の甲全体を覆うようになっている。この被覆部４６は、皮や布又は樹脂などの素材により構成されている。そして、靴４の着用時に、被覆部４６のうちの足の甲を覆う甲被覆部４２が足の甲を覆うようになっている。この甲被覆部４２は、足の先端部分から母趾内転筋起始部３１を覆う位置まで設けられた前足部４３と、この母趾内転筋起始部３１から足首までを覆う中足部４４から構成されている。
このうち前足部４３は靴４を履いた時に、その内面が足の甲に密着して、足の甲を締め付けるようになっている。
また中足部４４は足の甲の高さよりも大きく形成されており、中足部４４の内面と足の甲上との間には、隙間Ｓが形成されるようになっている。したがって、足の甲の先端部分のみが前足部４３に密着しており、足の甲のうち母趾内転筋起始部３１（母子球）の位置よりも踵寄りの部分、つまり中足部４４との間に隙間Ｓが形成され、自由な状態となっている。
【００３２】
上述のように構成された靴４を着用すると、中底部４５が踵部分から親指方向に向けて斜め内方に傾斜しているため、体全体が前傾姿勢となり、中低部４５の内方への傾斜により脚部には両足が内転するよう力がかかる。この結果、母趾内転筋起始部３１に重心が位置して体重がかかるようになる。
【００３３】
また、靴４を履いた状態で歩こうとすると、中足部４４と足の甲との間に隙間Ｓがあるため、前足部４３により締め付けられ固定されているている爪先部分に体重を掛けて、歩くことになる。つまり、歩く時には必ず爪先側、即ち母趾内転筋起始部３１に重心が位置した状態で歩くことなり、踵に体重がかかった状態（踵重心）となることはない。
【００３４】
このように、第２の実施形態によれば、中底部４５が踵部分から親指方向に向けて斜め内方に傾斜していることから、母趾内転筋起始部３１に重心がかかるようになり、上述の第１の実施形態と同様の効果を奏することができる。
また、中足部４４内面と足の甲との間に隙間Ｓを設けるようにしたことから、歩いている時も母趾内転筋起始部３１に重心がかかるようになり、上述の第１の実施形態と同様の効果を奏することができる。
また、本実施の形態に係る履物は、一見して普通の履き物と変わらない外観を呈しながら、本発明の効果を得ることができる。
【００３５】
また、本実施形態においては、中底４５あるいは台底部４１に前述の第２の実施形態における突出部を備えさせることもでき、その場合には、母趾内転筋起始部の皮膚をさらに刺激することができ、第２の実施形態単独の場合よりも顕著な効果を得ることができる。
【００３６】
次に、本発明の別の実施の形態に係る中敷を図６に示す。
本実施の形態に係る中敷７は、前述した本発明の第１又は第２の実施の形態に係る履物の台底部１１の形状を備えている。
即ち、中敷７は、踵部分の厚みを爪先部分よりも厚くし、また、小指側の厚みを親指側より厚くすることにより、その足裏に接触する面が、踵部分から親指方向斜め内方に傾斜している。また、当該中敷７に第二の実施の形態に係る突出部を備えていてもよい。
【００３７】
図６（Ｂ）及び（Ｃ）が示すように、本実施の形態に係る中敷７は、履物８の中底６４にぴったり嵌まり込むように足形に形成されている。
【００３８】
なお、中敷７を履物８の中底６４に嵌め込ませる手段としては、単に上記中敷７を着脱可能に嵌め込ませるだけでもよいし、又は、接着剤等を用いて、中底６４に一体化させてもよい。
【００３９】
また、本実施の形態に係る中敷は、第一の実施の形態におけるのと同様に、土踏まずの部位にアーチ状の膨らみを設けるなどして、足裏形状にフィットする形状としてもよい。これにより、足への衝撃を吸収し、疲労や膝痛などを防ぐことができるし、履物と足とが一体となって安定する。
【００４０】
本実施の形態によれば、履物自体に特別な加工等を施すことなく、既存の履物に本実施の形態に係る中敷を装着するだけで、前述の第一、ないし第二の実施の形態に係る本発明の効果を得ることができて、簡便である。特に、履き慣れた履物に取り付けることができるほか、履物の選択肢が狭められることなく本発明の効果を有する履物を得ることができる。また、別の履物にも使用できる汎用性を有したものとすることができる。
【００４１】
上述の各実施形態の履物は、サンダルや靴に限定されるものでなく、草履やその他の履物、あるいはトレーニング用または治療用の履物などにも適用可能である。
また、台底部の厚さや形状などは、個人の足の大きさや形状に応じて適宜変更することができる。
【図面の簡単な説明】
【００４２】
【図１】本発明の一実施形態に係る履物の斜視図である。
【図２】本実施形態に係る履物の正面図である。
【図３】左足の足裏を示した底面図である。
【図４】本発明の別の実施形態に係る履物の斜視図である。
【図５】図４のＡ−Ａ’線に沿った断面図である。
【図６】（Ａ）は左足の斜視図、（Ｂ）は本発明に係る中敷、（Ｃ）は履物としての例えば革靴の斜視図である。
【符号の説明】
【００４３】
１・・・履物、３・・・左足裏、４・・・履物、６・・・左足、７・・・中敷、８・・・履物、１１・・・台底部、１２・・・甲被部、３１・・・母趾内転筋起始部、４１・・・台底部、４２・・・甲被部、４３・・・前足部、４４・・・中足部、４５・・・中底、６４・・・中底、６５・・・台底部
【図１】
2006320626.tif 000003
【図２】
2006320626.tif 000004
【図３】
2006320626.tif 000005
【図４】
2006320626.tif 000006
【図５】
2006320626.tif 000007
【図６】
2006320626.tif 000008
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
足裏に接触する台底部分を踵部分から親指方向斜め内方に傾斜させることにより、着用時において、母趾内転筋起始部に足裏の重心が位置するように形成された台底部と、
足の先端部分から母趾内転筋起始部までを覆う前足部と、上記母趾内転筋起始部から足首までを覆う中足部とからなる被覆部とを有し、
上記台底部は、足裏の拇指内転筋起始部が当たる箇所に突出部を備え、
上記被覆部は、着用時において、上記前足部が足の甲部位と密着し、上記中足部が足の甲の高さよりも大きく形成され、上記中足部の内面と足の甲上との間に隙間が形成される、
ことを特徴とする履物。
【請求項２】
上記台底部は、中敷により構成されている、
請求項１記載の履物。
【手続補正２】
【補正対象書類名】明細書
【補正対象項目名】００１１
【補正方法】変更
【補正の内容】
【００１１】
上記目的を達成するため、本発明の一の観点にかかる履物は、足裏に接触する台底部分を踵部分から親指方向斜め内方に傾斜させることにより、着用時において、母趾内転筋起始部に足裏の重心が位置するように形成された台底部と、足の先端部分から母趾内転筋起始部までを覆う前足部と、上記母趾内転筋起始部から足首までを覆う中足部とからなる被覆部とを有し、上記台底部は、足裏の拇指内転筋起始部が当たる箇所に突出部を備え、上記被覆部は、着用時において、上記前足部が足の甲部位と密着し、上記中足部が足の甲の高さよりも大きく形成され、上記中足部の内面と足の甲上との間に隙間が形成されることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】